【事件の表示】
　特願２０１４−１８１６９１「コード画像表示システム、コード画像表示方法、及びコード画像表示装置」拒絶査定不服審判事件〔平成２８年　４月２１日出願公開、特開２０１６−　５７７０７、請求項の数（２２）〕について、次のとおり審決する。
【結　論】
　原査定を取り消す。
　本願の発明は、特許すべきものとする。
【理　由】
第１　手続の経緯
　本願は，平成２６年９月５日の出願であって，平成３０年５月２９日付けで拒絶理由通知がされ，平成３０年８月６日に意見書が提出されるとともに手続補正がされ，平成３０年８月２４日付けで拒絶理由通知がされ，平成３０年１０月２９日に意見書が提出されるとともに手続補正がされ，平成３０年１１月６日付けで拒絶査定（原査定）がされ，これに対し，平成３１年２月８日に拒絶査定不服審判の請求がされると同時に手続補正がされたものである。
第２　原査定の概要
　原査定（平成３０年１１月６日付け拒絶査定）の概要は次のとおりである。
　本願の請求項１ないし２４に係る発明は，以下の引用文献１ないし３に基づいて，その発明の属する技術の分野における通常の知識を有する者（以下，「当業者」という。）が容易に発明できたものであるから，特許法第２９条第２項の規定により特許を受けることができない。
　　　　　　　　　引　用　文　献　等　一　覧
引用文献１．特開２００７−１２２３５１号公報
引用文献２．特開２００６−２０４４１０号公報
引用文献３．特開２０１２−８３８８１号公報
第３　本願発明
　本願請求項１ないし２２に係る発明（以下，それぞれ「本願発明１」ないし「本願発明２２」という。）は，平成３１年２月８日付けの手続補正で補正された特許請求の範囲の請求項１ないし２２に記載された事項により特定される発明であり，以下のとおりのものである。
「【請求項１】
　図形を表示可能な表示部と、
　前記表示部を保持するケースと、
　前記表示部が前記ケースに組み付けられてなる装置本体の外部からなされた外部動作を検出する外部動作検出部と、
　複数種類の基本パターンを配列してなる情報コードの図形、又は情報コードを模した形で複数種類の基本パターンが配列された図形、のいずれかのコード図形が前記表示部に表示されている状態で、前記外部動作検出部によって前記外部動作が検出された場合に、前記コード図形に含まれる少なくとも一部の前記基本パターンの表示状態を変化させるように前記表示部を制御する変化制御部と、
　前記変化制御部の制御によって前記コード図形の表示状態が変化した後、変化前の前記コード図形とは異なる別図形を表示させるように前記表示部を制御する再表示制御部と、
　前記装置本体の姿勢を検出する姿勢検出部と、
を備え、
　前記変化制御部は、前記コード図形が前記表示部に表示されている状態で前記外部動作検出部によって前記外部動作が検出された場合に、前記コード図形の表示状態を前記姿勢検出部によって検出された前記装置本体の姿勢に応じた表示状態に変化させ、
　前記再表示制御部は、前記別図形として前記コード図形とは異なる別の情報コードを表示させるように前記表示部を制御する構成であり、
　前記コード図形及び前記別の情報コードは、ＱＲコードと同様のファインダパターンが同じ隅部に配置されるように形成されることを特徴とするコード画像表示システム。
　　【請求項２】
　前記別の情報コードは、予め定められた形状の特定パターンが配置される特定パターン領域と、複数種類のセルによってデータを記録するデータ記録領域と、前記データ記録領域にデータを記録する方法とは異なる方法でデータの記録又はデザインの表示の少なくともいずれかがなされる特殊領域とが、所定のコード領域内に設けられた構造であることを特徴とする請求項１に記載のコード画像表示システム。
　　【請求項３】
　前記変化制御部は、前記コード図形が前記表示部に表示されている状態で前記外部動作検出部によって前記外部動作が検出された場合に、前記コード図形に含まれる複数の前記基本パターンが流れる表示状態となるように前記コード図形の表示状態を変化させることを特徴とする請求項１又は請求項２に記載のコード画像表示システム。
　　【請求項４】
　前記変化制御部は、前記コード図形が前記表示部に表示されている状態で前記外部動作検出部によって前記外部動作が検出された場合に、前記コード図形に含まれる複数の前記基本パターンが分散する表示状態となるように前記コード図形の表示状態を変化させることを特徴とする請求項１から請求項３のいずれか一項に記載のコード画像表示システム。
　　【請求項５】
　前記変化制御部は、前記コード図形が前記表示部に表示されている状態で前記外部動作検出部によって前記外部動作が検出された場合に、前記コード図形に含まれる複数の前記基本パターンが当該コード図形の四方に分散する表示状態となるように前記コード図形の表示状態を変化させることを特徴とする請求項４に記載のコード画像表示システム。
　　【請求項６】
　前記変化制御部は、前記コード図形が前記表示部に表示されている状態で前記外部動作検出部によて前記外部動作が検出された場合に、前記コード図形に含まれる前記複数の前記基本パターンが消滅する表示状態、又は少なくともいずれかの種類の前記基本パターンの色彩又は濃度又は輝度が変化する表示状態、の少なくともいずれかの状態となるように、前記コード図形の表示状態を変化させることを特徴とする請求項１から請求項５のいずれか一項に記載のコード画像表示システム。
　　【請求項７】
　前記変化制御部は、前記コード図形が前記表示部に表示されている状態で前記外部動作検出部によって前記外部動作が検出された場合に、前記コード図形の外形が変化する表示状態、又は前記コード図形が分割する表示状態、の少なくともいずれかの状態となるように、前記コード図形の表示状態を変化させることを特徴とする請求項１から請求項６のいずれか一項に記載のコード画像表示システム。
　　【請求項８】
　前記変化制御部は、前記コード図形が前記表示部に表示されている状態で前記外部動作検出部によって前記外部動作が検出された場合に、少なくとも一部の前記基本パターンが集合する表示状態となるように、前記コード図形の表示状態を変化させることを特徴とする請求項１から請求項７のいずれか一項に記載のコード画像表示システム。
　　【請求項９】
　前記外部動作検出部は、前記装置本体から離れた位置でなされた前記外部動作を検出可能に構成されていることを特徴とする請求項１から請求項８のいずれか一項に記載のコード画像表示システム。
　　【請求項１０】
　前記外部動作検出部は、前記装置本体に吹き付けられた息を検出する息検出部を有し、
　前記変化制御部は、前記コード図形が前記表示部に表示されている状態で前記息検出部によって息が検出された場合に、前記コード図形の表示状態を変化させることを特徴とする請求項９に記載のコード画像表示システム。
　　【請求項１１】
　前記息検出部は、前記装置本体に吹き付けられた息の強さ又は息の方向の少なくともいずれかを検出可能とされており、
　前記変化制御部は、前記コード図形が前記表示部に表示されている状態で前記息検出部によって息が検出された場合に、前記コード図形の表示状態を前記息検出部によって検出された息の強さ又は息の方向の少なくともいずれかに応じた表示状態に変化させることを特徴とする請求項１０に記載のコード画像表示システム。
　　【請求項１２】
　前記息検出部は、前記装置本体に設けられた１又は複数のマイクを有することを特徴とする請求項１０又は請求項１１に記載のコード画像表示システム。
　　【請求項１３】
　前記息検出部は、前記装置本体における前記表示部の表示側に配置されたタッチパネルを有することを特徴とする請求項１０から請求項１２のいずれか一項に記載のコード画像表示システム。
　　【請求項１４】
　前記外部動作検出部は、前記装置本体に対する衝撃を検出可能に構成されていることを特徴とする請求項１から請求項８のいずれか一項に記載のコード画像表示システム。
　　【請求項１５】
　前記外部動作検出部は、前記装置本体における前記表示部の表示側の外面部に対する接触動作を検出可能に構成されていることを特徴とする請求項１から請求項８のいずれか一項に記載のコード画像表示システム。
　　【請求項１６】
　前記外部動作検出部は、前記コード図形が前記表示部に表示されている状態で前記外部動作検出部によって前記外面部に対する前記接触動作が検出された場合に、前記表示部に表示される表示画像において前記接触動作に対応する位置を基点とし、当該基点から前記コード図形に含まれる前記基本パターンを分散させる表示を行うことを特徴とする請求項１５に記載のコード画像表示システム。
　　【請求項１７】
　前記外部動作検出部は、前記外面部に対してなされる接触滑動動作を検出可能に構成されており、
　前記コード図形が前記表示部に表示されている状態で前記外部動作検出部によって前記外面部に対する前記接触滑動動作が検出された場合に、前記接触滑動動作での動作方向に前記基本パターンを流すように前記コード図形に含まれる前記基本パターンを分散させる表示を行うことを特徴とする請求項１５又は請求項１６に記載のコード画像表示システム
。
　　【請求項１８】
　前記コード図形は、写真又は絵柄の少なくともいずれかを含んだデザイン画像の一部がいずれかの種類の前記基本パターンによって隠された形で表されたものであり、
　前記変化制御部は、前記コード図形が前記表示部に表示されている状態で前記外部動作検出部によって前記外部動作が検出された場合に、前記デザイン画像の一部を隠していた前記基本パターンを除去又は変化させる処理を行い、前記デザイン画像の表示面積を拡大する明瞭化処理を行うことを特徴とする請求項１から請求項１７のいずれか一項に記載のコード画像表示システム。
　　【請求項１９】
　前記装置本体に設けられると共に、前記外部動作検出部によって前記外部動作が検出された場合に所定範囲の静止画又は動画を撮影する撮影部と
　前記装置本体に設けられると共に、前記撮影部によって撮影された撮影画像を前記装置本体とは異なる外部装置に送信する送信部と、
を備え、
　更に、前記装置本体又は前記装置本体とは異なる別端末に設けられ、前記別の情報コードを読み取り可能な読取部と、
　前記読取部によって前記別の情報コードが読み取られた場合に、前記読取部が設けられた端末において前記撮影画像を表示する撮影画像表示制御部と、
を有することを特徴とする請求項１から請求項１８のいずれか一項に記載のコード画像表示システム。
　　【請求項２０】
　図形を表示可能な表示部と、前記表示部を保持するケースと、を備え、前記表示部が前記ケースに組み付けられて装置本体が構成される表示端末を用いた表示方法であって、
　複数種類の基本パターンを配列してなる情報コードの図形、又は情報コードを模した形で複数種類の基本パターンが配列された図形、のいずれかのコード図形が前記表示部に表示されている状態で前記装置本体の外部から所定の外部動作がなされた場合に、外部動作検出部によって前記外部動作を検出するステップと、
　前記コード図形が前記表示部に表示されている状態で前記外部動作検出部によって前記外部動作が検出された場合に、前記コード図形に含まれる少なくとも一部の前記基本パターンの表示状態を変化させるように変化制御部によって前記表示部を制御するステップと、
　前記変化制御部によって前記コード図形の表示状態を変化させるステップがなされた場合に、前記変化制御部の制御によって前記コード図形の表示状態が変化した後、変化前の前記コード図形とは異なる別図形を表示させるように再表示制御部によって前記表示部を制御するステップと、
　姿勢検出部によって前記装置本体の姿勢を検出するステップと、
を備え、
　前記変化制御部によって前記表示部を制御するステップでは、前記コード図形が前記表示部に表示されている状態で前記外部動作検出部によって前記外部動作が検出された場合に、前記コード図形の表示状態を前記姿勢検出部によって検出された前記装置本体の姿勢に応じた表示状態に変化させるように前記表示部を制御し、
　前記再表示制御部によって前記表示部を制御するステップでは、前記別図形として前記コード図形とは異なる別の情報コードを表示させるように前記表示部を制御し、
　前記コード図形及び前記別の情報コードは、ＱＲコードと同様のファインダパターンが同じ隅部に配置されるように形成されることを特徴とするコード画像表示方法。
　　【請求項２１】
　前記外部動作検出部によって前記外部動作が検出された場合に、前記装置本体に設けられた撮影部によって所定範囲の静止画又は動画を撮影するステップと、
　前記撮影部によって静止画又は動画が撮影された場合に、その撮影された撮影画像を、前記装置本体に設けられた送信部によって前記装置本体とは異なる外部装置に送信するステップと、
　前記表示部に表示された又は前記表示部とは異なる媒体に表示された前記別の情報コードを、前記装置本体又は前記装置本体とは異なる別端末に設けられた読取部によって読み取るステップと、
　前記読取部によって前記別の情報コードが読み取られた場合に、撮影画像表示制御部により、前記読取部が設けられた端末において前記撮影画像を表示するステップと、
を含むことを特徴とする請求項２０に記載のコード画像表示方法。
　　【請求項２２】
　図形を表示可能な表示部と、
　前記表示部を保持するケースと、
　前記表示部が前記ケースに組み付けられてなる装置本体の外部からなされた外部動作を検出する外部動作検出部と、
　複数種類の基本パターンを配列してなる情報コードの図形、又は情報コードを模した形で複数種類の基本パターンが配列された図形、のいずれかのコード図形が前記表示部に表示されている状態で、前記外部動作検出部によって前記外部動作が検出された場合に、前記コード図形に含まれる少なくとも一部の前記基本パターンの表示状態を変化させるように前記表示部を制御する変化制御部と、
　前記変化制御部の制御によって前記コード図形の表示状態が変化した後、変化前の前記コード図形とは異なる別図形を表示させるように前記表示部を制御する再表示制御部と、
　前記装置本体の姿勢を検出する姿勢検出部と、
を備え、
　前記変化制御部は、前記コード図形が前記表示部に表示されている状態で前記外部動作検出部によって前記外部動作が検出された場合に、前記コード図形の表示状態を前記姿勢検出部によって検出された前記装置本体の姿勢に応じた表示状態に変化させ、
　前記再表示制御部は、前記別図形として前記コード図形とは異なる別の情報コードを表示させるように前記表示部を制御する構成であり、
　前記コード図形及び前記別の情報コードは、ＱＲコードと同様のファインダパターンが同じ隅部に配置されるように形成されることを特徴とするコード画像表示装置。」
第４　引用文献，引用発明等
１．引用文献１について
　本願の出願日前に頒布され，原査定の拒絶の理由に引用された，特開２００７−１２２３５１号公報（以下，これを「引用文献１」という。）には，図面とともに次の事項が記載されている。（下線は当審により付与。以下同じ。）
ａ．「【発明の効果】
【０００７】
　
本発明に係る携帯端末
　従って、
連続する複数の画像データを読み込む場合に、読み飛ばしが発生することがないので、確実にすべての画像を読み込むことが出来るようになる
ｂ．「【００２１】
　以下、本発明の実施形態に係る画像読取システムについて説明する。
　 ＜構成＞ 
　
図１は、画像読取システムの構成例を表す図である。 携帯電話機１０００は、画像を送信する側であり、携帯電話機２０００は、画像を受信する側である
【００２２】
　簡単に動作を説明すると、携帯電話機１０００は、ディスプレイ１７１０に送信するＱＲコードを表示しており、携帯電話機２０００は、備え付けのカメラ２６１０で、表示中のＱＲコードを読む込み、読み込みと同時に、読込完了通知のシャッター音を発する。このシャッター音を携帯電話機１０００のマイク１６１０が拾い、次のＱＲコードをディスプレイ１７１０に表示する。
【００２３】
　この繰り返しによって、複数のＱＲコードを順次読込んでいく。
　図２は、本発明にかかる携帯電話機の構成を示す機能ブロック図である。
　まず、画像送信側の携帯電話機１０００から説明し、次に画像受信側の携帯電話機２０００を説明する。尚、携帯電話機の一般的な機能、例えば、基地局と無線通信を行なう機能部、などは当然備えるが、図示していない。」
ｃ．「【００２４】
　　　＜携帯電話機１０００＞ 
　
携帯電話機１０００は、操作部１１００、制御部１２００、表示制御部１３００、ＱＲコード記憶部１４００、シャッター音記憶部１５００、音声検知部１６００及び表示部１７００から構成される
　まず、操作部１１００は、テンキー等のボタンを含み、それらの押下等の操作を検知し、制御部１２００に通知する機能を有する。
【００２５】
　
制御部１２００は
通信制御等、携帯電話機に必要な一般的な制御処理を行う他、本発明に特有の制御処理を行う
　また、
表示部１７００は、液晶等のディスプレイ１７１０を含み、表示制御部１３００から依頼された画像等を表示する機能を有する
　
表示制御部１３００は、ＱＲコード記憶部１４００から、次に表示するＱＲコードを読出し、表示部１７００にその表示を依頼する機能を有する
【００２６】
　
音声検知部１６００は、自機外部の音を検知する機能を有する。また、制御部１２００の指示に応じて、検知した音をシャッター音記憶部１５００に記憶させる機能と、検知した音がシャッター音記憶部１５００に記憶されている音と同じか否か判断する機能とを有する
　シャッター音記憶部１５００は、次のＱＲコードを表示する合図となる音を記憶する機能を有する。
【００２７】
　本実施形態では、予め、携帯電話機２０００のシャッター音を音声検知部１６００がシャッター記憶部１５００に記憶させてあるものとする。
次に、
ＱＲコード記憶部１４００は、ＱＲコードを記憶している
記憶しているＱＲコードの詳細を、図４を用いて以下に説明する。
　
図４は、連続するＱＲコードの例を表す図である。
【００２８】
　本実施形態では、
交換するデータである文字データ１０を、予め、複数のＱＲコード（３０、３１〜３２）に変換してあるものとする
　ここでは、
文字データ１０は、1つのＱＲコードでは収まらない量であるものとする。それを分割して複数の分割データ（２０、２１〜２２）を作成し
【００２９】
　例えば、分割データ２０の順番２０１は「１」番目であり、分割データ２１の順番２１１は「２」番目である等である。
　また、最後の分割データ２２の順番２２１には、最後の分割データである旨のコードが入っているものとする。例えば、「ＥＮＤ」である。
　これらのＱＲコードの表示順序は、ＱＲコード記憶部１４００が管理しているものとする。」
ｄ．「【００３４】
　この画像を自動で読み込んだ場合にも、ユーザがシャッターを押した場合と同様に、シャッター音が鳴るものとする。ここで制御部１１００等の各部による各処理の全部または一部は、ＣＰＵが各種プログラムを実行することにより実現されるものである。 
　＜動作＞
　以下、上述した画像読取システムの動作について図３を用いて説明する。
【００３５】
　図３は、携帯電話機１０００と携帯電話機２０００の処理を示すフローチャートである。
　まず、ＱＲコードを表示する側の携帯電話機１０００のユーザは、表示するＱＲコードを指定し、表示を指示する。ＱＲコードの指定は、例えば、ＱＲコード記憶部１４００に記憶されているＱＲコードの一覧をディスプレイ１７１０に表示し、カーソルで選択する。
【００３６】
　操作部１１００は、表示するＱＲコードの指定を受け付け、制御部１２００に通知する（ステップＳ１００）。
　通知を受取った制御部１２００は、表示制御部１３００に指定されたＱＲコードの表示を依頼し、音声検知部１６００にシャッター音の検知を依頼する。
　ＱＲコードの表示依頼を受けた表示制御部１３００は、該当するＱＲコードの最初のＱＲコードをＱＲコード記憶部１４００から読出し、表示部１７００に表示依頼をする。
【００３７】
　表示依頼を受けた表示部１７００は、
ディスプレイに最初のＱＲコードを表示する
　一方、ＱＲコードを読み取る側の
携帯電話機２０００では
　操作部２１００は、ＱＲコード読取指示があった旨を制御部２２００に通知し（ステップＳ２００）、通知を受けた制御部２２００は、撮像部２６００にＱＲコードの撮影を依頼する。
【００３８】
　ＱＲコードの撮影を依頼された
撮像部２６００は、撮影される画像がＱＲコードであると確認できたら
　
それと同時に
シャッター音３０００を発音する
【００３９】
　撮影したＱＲコードの画像を撮像部２６００から受取った画像比較部２３００は、逆変換して分割データを作成し、１つ前に撮影して画像記憶部２４００に記憶してある分割データと同じか否かを判断する（ステップＳ２３０）。
　同じであった場合（ステップＳ２３０:ＹＥＳ）には、その旨を制御部２２００に伝え、制御部２２００は、撮像部２６００にＱＲコードの撮影を依頼する（ステップＳ２１０）。すなわち、今読込んだＱＲコードは、直前に読込んだＱＲコードと同じであったため、保存しない。
【００４０】
　また、ＱＲコードが異なっていた場合（ステップＳ２３０：ＮＯ）には、画像比較部２３００は、今撮影したＱＲコードの分割データを画像記憶部２４００に記憶する（ステップＳ２４０）。
　さらに、画像比較部２３００は、今撮影したＱＲコードが最後のＱＲコードか否かを判断し、制御部２２００にその旨を通知する。この判断は、分割データの順番２２１が「ＥＮＤ」である場合に、最後であると判断する。
【００４１】
　最後のＱＲコードである旨（ステップＳ２５０：無）を通知された制御部２２００は、ＱＲコードの読取処理を終了する処理を行う。この終了処理では、記憶されている分割データをつなげて、文字データとする処理などを行う。
　また、最後のＱＲコードではない旨（ステップＳ２５０：有）を通知された制御部２２００は、撮像部２６００にＱＲコードの撮影を依頼する（ステップＳ２１０）。
【００４２】
　一方、ＱＲコードを表示する側の
携帯電話機１０００では、
音声検知部１６００が
音を拾ったら、その音とシャッター音記憶部１５００に記憶されているシャッター音とを比較し
　
拾った音と記憶するシャッター音とが同じであった場合（ステップＳ１２０：ＹＥＳ）には、その旨を制御部１２００に通知する
【００４３】
　
通知を受けた制御部１２００は、表示制御部１３００に次のＱＲコードの表示を依頼する
　
依頼を受けた表示制御部１３００は、次のＱＲコードをＱＲコード記憶部から読み出して表示部１７００に表示依頼を行う
　読み出すＱＲコードがない場合、すなわち、最後のＱＲコードまでを表示した場合（ステップＳ１４０：無）には、その旨を制御部１２００に返し、制御部１２００は、ＱＲコードの表示処理を終了する処理を行う。」
ｅ．「
　　　　　　　　　　　　　　　　　　　　　　　　　　　　　」
ｆ．「
　　　　　　　　　　　　　　　　　　　　　　　　　　　　　　　　」
ｇ．「
　　　　　　　　　　　　　　　　　　　　　　　　　　　　　　　」
・上記ｂ．の段落【００２１】及び図１（上記ｅ．）によれば，引用文献１には，“画像を送信する側である携帯電話機１０００と，画像を受信する側である携帯電話機２０００からなる画像読取システム”が記載されている。
・上記ｃ．の段落【００２４】には，“携帯電話機１０００は，操作部１１００，制御部１２００，表示制御部１３００，ＱＲコード記憶部１４００，シャッター音記憶部１５００，音声検知部１６００及び表示部１７００から構成される”ことが記載されている。
・上記ｃ．の段落【００２５】には，“制御部１２００は，通信制御等，携帯電話機に必要な一般的な制御処理を行う他，特有の制御処理を行う”ものであること，また，“表示部１７００は，液晶等のディスプレイ１７１０を含み，表示制御部１３００から依頼された画像等を表示する機能を有する”ものであること，さらに，“表示制御部１３００は，ＱＲコード記憶部１４００から，次に表示するＱＲコードを読出し，表示部１７００にその表示を依頼する機能を有する”ことが記載されている。
・上記ｃ．の段落【００２６】には，“音声検知部１６００は，自機外部の音を検知する機能を有し，また，制御部１２００の指示に応じて，検知した音をシャッター音記憶部１５００に記憶させる機能と，検知した音がシャッター音記憶部１５００に記憶されている音と同じか否か判断する機能とを有する”ことが記載されている。
・上記ｃ．の段落【００２７】には，“ＱＲコード記憶部１４００は，ＱＲコードを記憶する”ことが，また，段落【００２８】及び図４（上記ｇ．）には記憶しているＱＲコードの例として，“文字データ１０が，１つのＱＲコードでは収まらない量の際には、それを分割して複数の分割データ（２０，２１〜２２）を作成し，これらを複数のＱＲコード（３０，３１〜３２）に変換し記憶する”ことが記載されている。
　してみると，引用文献１には，ＱＲコード記憶部１４００は，１つのＱＲコードでは収まらない量の文字データ１０を複数のＱＲコード（３０、３１〜３２）に変換して記憶するものであることが記載されているといえる。
・上記ｄ．の段落【００３７】及び図３（上記ｆ．）には，“携帯電話機１０００のディスプレイ１７１０に最初のＱＲコードを表示する”ことが，また，段落【００３７】，【００３８】には，“携帯電話機２０００では，撮像部２６００でＱＲコードを撮像し，撮影された画像がＱＲコードであると確認できたら，シャッター音３０００を発音する”こと，さらに，段落【００４２】，【００４３】には，“携帯電話機１０００では音声検知部１６００で拾った音と記憶するシャッター音とが同じであった場合には，その旨を制御部１２００に通知し，通知を受けた制御部１２００は，表示制御部１３００に次のＱＲコードの表示を依頼し，依頼を受けた表示制御部１３００は，次のＱＲコードをＱＲコード記憶部から読み出して表示部１７００に表示依頼を行う”ことが記載されている。
・上記ａ．には，引用文献１では，“連続する複数の画像データを読み込む場合に，読み飛ばしが発生することがないので，確実にすべての画像を読み込むことが出来るようになる”ことが記載されている。
　したがって，上記引用文献１には次の発明（以下，「引用発明」という。）が記載されている。
「画像を送信する側である携帯電話機１０００と，画像を受信する側である携帯電話機２０００からなる画像読取システムにおける携帯電話機１０００であって，
　携帯電話機１０００は，操作部１１００，制御部１２００，表示制御部１３００，ＱＲコード記憶部１４００，シャッター音記憶部１５００，音声検知部１６００及び表示部１７００から構成され，
　制御部１２００は，通信制御等，携帯電話機に必要な一般的な制御処理を行う他，特有の制御処理を行うものであり，
　表示部１７００は，液晶等のディスプレイ１７１０を含み，表示制御部１３００から依頼された画像等を表示する機能を有するものであり，
　表示制御部１３００は，ＱＲコード記憶部１４００から，次に表示するＱＲコードを読出し，表示部１７００にその表示を依頼する機能を有するものであり，
　音声検知部１６００は，自機外部の音を検知する機能を有し，また，制御部１２００の指示に応じて，検知した音をシャッター音記憶部１５００に記憶させる機能と，検知した音がシャッター音記憶部１５００に記憶されている音と同じか否か判断する機能とを有するものであり，
　ＱＲコード記憶部１４００は，１つのＱＲコードでは収まらない量の文字データ１０を複数のＱＲコード（３０，３１〜３２）に変換して記憶するものであって，
　携帯電話機１０００のディスプレイ１７１０に最初のＱＲコードを表示し，携帯電話機２０００で，撮像部２６００でＱＲコードを撮像し，撮影される画像がＱＲコードであると確認できたら，シャッター音３０００を発音し，そして，携帯電話機１０００では音声検知部１６００が拾った音と記憶するシャッター音とが同じであった場合には，その旨を制御部１２００に通知し，通知を受けた制御部１２００は、表示制御部１３００に次のＱＲコードの表示を依頼し，依頼を受けた表示制御部１３００は，次のＱＲコードをＱＲコード記憶部から読み出して表示部１７００に表示依頼を行い，
　連続する複数の画像データを読み込む場合に，読み飛ばしが発生することがなく，確実にすべての画像を読み込むことが出来る携帯電話機１０００。」
２．引用文献２について
　本願の出願日前に頒布され，原査定の拒絶の理由に引用された特開２００６−２０４４１０号公報（以下，これを「引用文献２」という。）には，図面とともに次の事項が記載されている。
ａ．「【００７４】
　図４は、
操作者がマイク３４に息を吹きかけることで、複数の雲Ｃ１〜Ｃ４を吹き飛ばしている
３．引用文献３について
　本願の出願日前に頒布され，原査定の拒絶の理由に引用された特開２０１２−８３８８１号公報（以下，これを「引用文献３」という。）には，図面とともに次の事項が記載されている。
ａ．「【００８５】
　本実施形態において、情報処理端末２００は、上記平面ビューと側面ビューを切り替えて表示部１１に表示することが可能である。上記斜めビューは本実施形態の説明を分かりやすくするために便宜上図示したものである。しかし、情報処理端末２００が当該斜めビューを表示可能であってもよい。デフォルトのビューは例えば平面ビューとされ、当該平面ビュー上で、アイコン１を介した各コンテンツの起動操作が実行される。
平面ビューが表示された状態で、ユーザが情報処理端末２００を例えば表示部１１の水平方向の軸回りに所定角度以上傾ける（回転させる）と、上記センサ２０が当該傾きを検出してＣＰＵ１５へ出力し、ＣＰＵ１５はそれに応じて平面ビューを側面ビューへ切り替えるように表示部１１を制御する
ｂ．「
　　　　　　　　　　　　　　　　　　　　　　　　　　　」
　上記ａ．及びｂ．の記載から，上記引用文献３には次の技術事項（以下，「引用文献３に記載の技術事項」という。）が記載されている。
　「装置を傾けると表示を切り替えること。」
第５　対比・判断
１．本願発明１について
（１）対比
　本願発明１と引用発明とを対比する。
・引用発明の「表示部１７００」は，図形であるＱＲコードを表示するものであるから，本願発明１の「図形を表示可能な表示部」に相当する。
・引用発明の「表示部１７００」は「携帯電話機１０００」が有するものであって，「携帯電話機１０００」が「表示部１７００」を保持するケース（筐体）を有していることは明らかであるから，引用発明は本願発明１の「前記表示部を保持するケース」に相当する構成を備えているといえる。
　そして，引用発明の「携帯電話機１０００」は，本願発明１の「前記表示部が前記ケースに組み付けられてなる装置本体」に相当する。
　また，この引用発明の「音声検知部１６００」は，「携帯電話機１０００」が有し，自機外部の音を検知する機能を有するものであるから，本願発明１の「前記表示部が前記ケースに組み付けられてなる装置本体の外部からなされた外部動作を検出する外部動作検出部」に相当する。
・一般に「ＱＲコード」は，基本パターンである明色パターンと暗色パターンを配列してなる情報コードの図形であるから，引用発明の「ＱＲコード」は，本願発明１の「複数種類の基本パターンを配列してなる情報コードの図形」に相当し，また，引用発明の「最初のＱＲコード」は、本願発明１の「コード図形」に相当する。
　そして，引用発明の「制御部１２００」は，「音声検知部１６００」からシャッター音を検知したことが通知されると，次のＱＲコードを表示するように依頼するものであって，次のＱＲコードが表示される際には，「最初のＱＲコード」の表示は消え，その際には基本パターンの明色パターン及び暗色パターンが消え表示状態が変化していると認められる。してみると，引用発明の「制御部１２００」は，本願発明１の「複数種類の基本パターンを配列してなる情報コードの図形のコード図形が前記表示部に表示されている状態で，前記外部動作検出部によって前記外部動作が検出された場合に，前記コード図形に含まれる少なくとも一部の前記基本パターンの表示状態を変化させるように前記表示部を制御する変化制御部」に相当する。
・引用発明の「最初のＱＲコード」及び「次のＱＲコード」は、各々、１つのＱＲコードでは収まらない量の文字データ１０を複数のＱＲコード（３０，３１〜３２）としたものの一部であり，「最初のＱＲコード」と「次のＱＲコード」では，異なる別図形であって別の情報コードと認められることから，引用発明の「次のＱＲコード」は，本願発明１の「変化前の前記コード図形とは異なる別図形」，及び「前記別図形として前記コード図形とは異なる別の情報コード」に相当する。
　そして，引用発明の「表示制御部１３００」は，「制御部１２００」からの依頼を受けて次のＱＲコードを表示部１７００に表示依頼するものであって，依頼を受けた表示部１７００、表示制御部１３００が画像を表示するものであるから，本願発明１の「前記変化制御部の制御によって前記コード図形の表示状態が変化した後、変化前の前記コード図形とは異なる別図形を表示させるように前記表示部を制御する再表示制御部」に相当し，「前記再表示制御部は、前記別図形として前記コード図形とは異なる別の情報コードを表示させるように前記表示部を制御する構成」を有するものといえる。
・引用発明の「最初のＱＲコード」及び「次のＱＲコード」は，いずれもＱＲコードであるからファインダパターンを有するものであって，また，引用文献１の図４を参照すると，ファインダパターンは複数のＱＲコードで同じ隅部に配置されていることから引用発明の「最初のＱＲコード」及び「次のＱＲコード」は、本願発明１の「前記コード図形及び前記別の情報コードは、ＱＲコードと同様のファインダパターンが同じ隅部に配置されるように形成される」ことに相当する構成を備えるものである。
・引用発明の「携帯電話機１０００のディスプレイ１７１０」には、「ＱＲコード」が表示されるものであるから、本願発明１と、”コード画像表示システム”である点で一致するといえる。
　したがって，本願発明１と引用発明との間には，以下の一致点と相違点とがある。
〈一致点〉
「図形を表示可能な表示部と，
　前記表示部を保持するケースと，
　前記表示部が前記ケースに組み付けられてなる装置本体の外部からなされた外部動作を検出する外部動作検出部と，
　複数種類の基本パターンを配列してなる情報コードの図形，又は情報コードを模した形で複数種類の基本パターンが配列された図形，のいずれかのコード図形が前記表示部に表示されている状態で，前記外部動作検出部によって前記外部動作が検出された場合に，前記コード図形に含まれる少なくとも一部の前記基本パターンの表示状態を変化させるように前記表示部を制御する変化制御部と，
　前記変化制御部の制御によって前記コード図形の表示状態が変化した後，変化前の前記コード図形とは異なる別図形を表示させるように前記表示部を制御する再表示制御部と，
を備え，
　前記再表示制御部は，前記別図形として前記コード図形とは異なる別の情報コードを表示させるように前記表示部を制御する構成であり，
　前記コード図形及び前記別の情報コードは，ＱＲコードと同様のファインダパターンが同じ隅部に配置されるように形成されるコード画像表示システム。」
〈相違点１〉
　本願発明１では「前記装置本体の姿勢を検出する姿勢検出部」を備えているのに対して，引用発明ではそのような姿勢検出部を備えていない点。
〈相違点２〉
　変化制御部が，本願発明１では「前記コード図形が前記表示部に表示されている状態で前記外部動作検出部によって前記外部動作が検出された場合に、前記コード図形の表示状態を前記姿勢検出部によって検出された前記装置本体の姿勢に応じた表示状態に変化させ」るものであるのに対して，引用発明ではその旨の特定がされていない点。
（２）相違点についての判断
　上記相違点１，相違点２について検討する。
　引用文献３には，装置を傾けると表示を切り替えることが記載されている。
　しかしながら，引用発明は，連続する複数の画像データを読み込む場合に，読み飛ばしが発生することがなく，確実にすべての画像を読み込むことが出来るように，ＱＲコードを表示する側の携帯端末１０００が，読み取り側の携帯端末２０００がＱＲコードを正確に読み込めた合図として発するシャッター音を検知したら表示を切り替えるものである。したがって，携帯端末１０００は単に最初のＱＲコードから次のＱＲコードに表示を切り替えればよく，コード図形の表示状態を装置本体の姿勢に応じて変化させる必要はないことから，引用発明に引用文献３に記載の技術事項を組み合わせる動機付けが存在しない。
　また，引用文献２には，姿勢に応じて表示を切り替えることについて記載されていない。
　
　したがって，本願発明１が引用発明，引用文献２及び３に記載の技術事項に基づき当業者が容易に発明できたものであるとはいえない。
　　　
２．本願発明２ないし２２について
　本願発明２ないし２２は，本願発明１を更に限定したものであるか，本願発明１を別のカテゴリーで表現するものであるので，同様に，当業者であっても引用発明，引用文献２及び３に記載の技術事項基づいて容易に発明をすることができたものであるとはいえない。
第６　原査定について
（１）特許法第２９条第２項について
　本願発明１ないし２２は，いずれも「前記コード図形が前記表示部に表示されている状態で前記外部動作検出部によって前記外部動作が検出された場合に、前記コード図形の表示状態を前記姿勢検出部によって検出された前記装置本体の姿勢に応じた表示状態に変化させ」るとの構成を有し，上記第５　１（２）で示したとおり，当業者であっても，引用文献１ないし引用文献３に記載された技術的事項に基づいて容易に発明できたものとはいえない。
　
　　
第７　むすび
　以上のとおり，原査定の理由によっては，本願を拒絶することはできない。
　また，他に本願を拒絶すべき理由を発見しない。
　よって，結論のとおり審決する。